(57)【特許請求の範囲】
【請求項１】
モータによって回転駆動されるインペラと、前記インペラより排出された気流を導くエアーガイドと、前記インペラと前記エアーガイドを内包するケーシングを備えた電動送風機と、後部に前記電動送風機を内蔵したモータ室を備え、前部に塵埃を集積する集塵袋を備えた集塵室を形成し、前記モータ室と前記集塵室とを吸気が連通する連通孔部を備えた隔壁を形成することで分割し、前記連通孔部の通路面積を前記電動送風機の吸気口より大きく設定し、前記連通孔部と前記電動送風機の吸気口との間に一定の空間を形成し、かつ前記空間に連通孔部から吸気口に通路面積を徐々に絞り込む傾斜面を形成し、前記傾斜面と前記インペラの前面シュラウドの内面の間を前記ケーシングにより滑らかな曲面で連なるように形成した電気掃除機。
【発明の詳細な説明】
【０００１】
【発明の属する技術分野】
本発明は、一般家庭で使用される電気掃除機に関するもので、特に近年の高出力、高効率化に関するものである。
【０００２】
【従来の技術】
従来の電気掃除機用電動送風機を図９、図１０を用いて説明する。１は駆動用のモータであり、このモータ１のブラケット２には中央に吸気口３を有するケーシング４が圧入されている。モータ軸５には遠心型のブレード６と前面シュラウド７とディスク８で形成されたインペラ９が取り付けられ、モータ１により駆動される。１０はインペラ９とブラケット２との間に設けられたインペラ９で発生した高速の気流を徐々に圧力回復するエアーガイドで、インペラ９と共にケーシング４に内包されている。インペラ９とケーシング４との間には気密性をもたせるため、ケーシング４の吸気口３がある部分の内面に間装体として吸気口ガイド１１を介在させてインペラ９に当たるようにするか、あるいはＰＴＦＥ（ポリテトラフロロエチレン）等のすべり性のよいシール材１２を吸気口３の内側（インペラ側）の円周上に配設し、ケーシング４の内面に張り付け、インペラ９の吸気口３がシール材１２に当たるようにし、気密性を保つ設計になっている。
【０００３】
また、空気の流れをスムーズにするための従来の電気掃除機の構成としては、次のようなものがすでに実用となっている。すなわち図１１に示すように、１００は前部に上方が開口した集塵室１０１、後部にモータ１を備えたモータ室１０２を形成した下本体である。１０３は集塵室１０１の前方の下本体１００に設けられた吸込口であり、集塵室１０１とモータ室１０２の間には、連通孔部１０４を有する隔壁１０５が下本体１００に一体に形成されている。また隔壁１０５の集塵室側には塵埃がモータに侵入するのを防止するためのフィルタ（図示せず）が装着され、集塵室１０１の上部には開閉可能な集塵室蓋１０６が、本体１００のモータ室上部を覆う上本体１０７に回動自在に取り付けられている。モータ１は前方略中央部に吸気口３を形成し、前部を前保持体１０８、後部を後保持体１０９でそれぞれ下本体１００と上本体１０７とで挟み込んで保持されており、モータの吸気口３と隔壁１０５の間には、連通孔部１０４からモータの吸気口３に徐々に通路面積を絞り込む空気の流れをスムーズにするための傾斜面を形成する略漏斗状の支持板１１０がモータを保持する前保持体１０８に挟み込まれるように配設されている。
【０００４】
【発明が解決しようとする課題】
このような従来の電気掃除機用電動送風機にあっては、ケーシング４に設けられた間装材またはシール材１２とインペラ９の前面シュラウド７の内面との間に段差があり、モータ１の吸気口３より吸い込まれた空気はケーシング４からインペラ９に流入する際に乱流となり、モータ１での入口での圧力損失の原因となるものであった。
【０００５】
また、このような電気掃除機本体の構成にあっては、モータ１の吸気口３とモータ１と連通孔部１０４の間に配設された略漏斗状の支持板１１０とのつながりは、吸気口径は一致させているものの、断面形状的には不連続で、その部分で空気の流れが乱れ、それが圧力損失となり、吸込力の低下につながるものであった。
【０００６】
また、そのような支持板１１０はモータ１と連通孔部１０４の間にのみ取り付けられており、その作用は隔壁１０５より後ろのモータ室内のみで働き、集塵室内の整流は無視されたものであった。
【０００７】
本発明は以上のような従来の課題を解決しようとするものであって、高出力、高効率の電動送風機または電気掃除機を提供することを目的としている。
【０００８】
【課題を解決するための手段】
上記目的を達成するために本発明は、インペラとエアーガイドを内包するケーシングの吸気口から前記インペラの前面シュラウドの内面の間が滑らかな曲面となるように形成し、エアーがスムーズに流れるように構成したことで、モータの吸気口とインペラとの間での損失が減少し、モータの出力がアップするとともに、本体の吸込仕事率の向上につながり、モータ室と集塵室を内蔵し、そのモータ室と集塵室とを吸気が連通する連通孔部を備えた隔壁を形成することで分割し、前記連通孔部の通路面積をモータの吸気口より大きく設定し、連通孔部とモータの吸気口との間に一定の空間を形成し、かつ前記空間に連通孔部から吸気口に通路面積を徐々に絞り込む傾斜面を形成し、前記傾斜面とモータのケーシングとの接合が滑らかな曲面で連なるようにして電気掃除機としたものである。そして、前記電気掃除機にはモータの吸気口部から連通孔部に形成された傾斜面と、前記連通孔部を隔てて、集塵室内部までを滑らかな曲面で連なる傾斜面にしたものである。
【０００９】
【発明の実施の形態】
本発明は、モータによって回転駆動されるインペラと、前記インペラより排出された気流を導くエアーガイドと、前記インペラと前記エアーガイドを内包するケーシングを備えた電動送風機と、後部に前記電動送風機を内蔵したモータ室を備え、前部に塵埃を集積する集塵袋を備えた集塵室を形成し、前記モータ室と前記集塵室とを吸気が連通する連通孔部を備えた隔壁を形成することで分割し、前記連通孔部の通路面積を前記電動送風機の吸気口より大きく設定し、前記連通孔部と前記電動送風機の吸気口との間に一定の空間を形成し、かつ前記空間に連通孔部から吸気口に通路面積を徐々に絞り込む傾斜面を形成し、前記傾斜面と前記インペラの前面シュラウドの内面の間を前記ケーシングにより滑らかな曲面で連なるように形成した、モータの吸気口部とモータと連通孔部の間の支持板とのつながり部分での空気の流れは乱れることがなく、吸込力が強い電気掃除機とすることができる。
【００１０】
【実施例】
（実施例１）
以下本発明の実施例１について、図１、図２を用いて説明する。
【００１１】
１は駆動用のモータであり、このモータ１のブラケット２には中央に吸気口３を有するケーシング４が圧入されている。モータ軸５には遠心型のブレード６と前面シュラウド７とディスク８で形成されるインペラ９が取り付けられ、モータ１により駆動される。１０はインペラ９とブラケット２との間に設けられたインペラ９で発生した高速の気流を徐々に圧力回復するエアーガイドで、インペラ９と共にケーシング４に内包されている。１１はケーシング４の吸気口３がある部分の内面に装着されて、インペラ９へ気流を導く吸気口ガイドで、インペラ９とケーシング４との隙間を埋め、エアー漏れを防いでいる。吸気口ガイド１１からインペラ９の前面シュラウド７の内面（ブレード６側）に至るまでの間は、その子午線形状の曲面が滑らかな円弧になるように形成されている。
【００１２】
上記の構成により、吸気口３から吸い込まれた気流は、吸気口ガイド１１を通り、インペラ９に至るが、その間の接合が滑らかな曲面で行われているため、乱流が起こりにくく、空気の流れがスムーズで、その部分での圧力の損失を低減できる。
【００１３】
（実施例２）
次に本発明の実施例２について、図３、図４、図５を用いて説明する。なお上記実施例１と同一構成部分については同一符号を付与して、その詳細な説明を省略する。
【００１４】
図３において、１００は前部に集塵室１０１を有し、後部には塵埃吸引用のモータ１を組み込んだモータ室１０２を形成した下本体で、前記集塵室１０１とモータ室１０２は連通孔部１０４を形成した下本体１００に設けられた隔壁１０５によって分離されている。１０６は集塵室１０１を覆うように上本体１０７に回動自在に設置された集塵室蓋である。モータ１は軟体で形成された前保持体１０８と後保持体１０９によって上本体１０７と下本体１００に各々設けたリブＡ、リブＢ、リブＣで保持されている。また、集塵室１０１とモータ室１０２を連通する連通孔部１０４からモータ１の吸気口３に徐々に通路面積を絞り込む傾斜面を形成する略漏斗状の支持板１１０がモータ１を保持する前保持体１０８に挟み込まれるように配設されている。図４、図５において、前記支持板１１０はケーシング４の吸気口３の内面に装着された吸気口ガイド１１にその断面形状が滑らかな略同一曲面を描くように連なっており、さらに、吸気口ガイド１１からインペラ９の前面シュラウド７の内面（ブレード６側）に至るまでの間も、その子午線形状の曲面が滑らかな略同一曲面となるように形成されている。
【００１５】
上記の構成により、掃除機本体の集塵室１０１より隔壁１０５の連通孔部１０４を通過した吸気は、支持板１１０の傾斜面に誘導されてモータ１の吸気口３に達し、吸気口ガイド１１を通り、インペラ９に至る。気流はその間の接合が滑らかな曲面で行われているため、乱流が起こりにくく、空気の流れがスムーズとなり、その部分での圧力の損失が低減される。
【００１６】
（実施例３）
次に本発明の実施例３について、図６、図７を用いて説明する。なお上記の実施例と同一構成部分については同一符号を付与して、その詳細な説明を省略する。図６において、モータ１の吸気口３と隔壁１０５の間には、傾斜面を形成する略漏斗状の支持板１１０が配設されている。集塵室１０１の内部には前記支持板１１０から隔壁１０５を隔てて、略同一曲面で連なる同じく前支持板１１１が設置されている。
【００１７】
上記構成により、下本体１００の集塵室１０１内に装着された集塵用の紙袋（図示せず）を通過した気流は、掃除機本体の集塵室１０１に設置した前支持板１１１に誘われ、隔壁１０５の連通孔部１０４を通過し、今度はモータ１の吸気口３と隔壁１０５の間に設けられた支持板１１０の傾斜面に沿って、モータ１の吸気口３に達し、吸気口ガイド１１を通り、インペラ９に至る。気流はその間の接合が滑らかな曲面で行われているため、乱流が起こりにくく、空気の流れがスムーズとなり、その部分での圧力の損失が低減される。
【００１８】
なお、支持板１１０には、実際には図７に示すようなパッキン１１２を取り付け、モータ１を挿入して、支持板１１０とモータ１の中心を合わせた後、モータ１を前方向に圧接させて固定する。この構成により、支持板１１０とモータの吸気口３とのエアータイトが確実にできるとともに、軸に近い位置でモータ１を保持するため、ラジアル方向の振動を抑制することができる。
【００１９】
（実施例４）
次に本発明の実施例４について、図８を用いて説明する。なお上記の実施例と同一構成部分については同一符号を付与して、その詳細な説明を省略する。図８において、モータ１の吸気口３と隔壁１０５の間の略漏斗状の傾斜面を上本体１０７と下本体１００で形成し、集塵室１０１の内部の傾斜面についても略漏斗形状の下半分は下本体１００で形成し、上半分は集塵室蓋１０６で形成するものである。
【００２０】
上記構成により、実施例３の作用に加え、傾斜面を上下本体１０７、１００および集塵室蓋１０６で形成したことにより、部品点数の削減ができ、組立性の向上も図れるものである。
【００２１】
【発明の効果】
本発明の請求項１記載の発明によれば、ケーシングの吸気口からインペラの前面シュラウドの内面の間を、滑らかな曲面で形成し、かつ、連通孔部とモータの吸気口との間の傾斜面とモータのケーシングとの接合を、滑らかな曲面となるように形成したことにより、吸気の乱流が起こりにくく、空気の流れがスムーズになり、その部分での圧力の損失を低減でき、電動送風機の出力向上、効率のアップが図れるものである。
【図面の簡単な説明】
【図１】  本発明の実施例１における電気掃除機用電動送風機の部分破断側面図
【図２】  同電動送風機の要部拡大断面図
【図３】  本発明の実施例２における電気掃除機の断面図
【図４】  同電気掃除機の電動送風機の部分破断側面図
【図５】  同電動送風機の要部拡大断面図
【図６】  本発明の実施例３における電気掃除機の断面図
【図７】  同電気掃除機の部分断面図
【図８】  本発明の実施例４における電気掃除機の断面図
【図９】  従来例の電気掃除機用電動送風機の部分破断側面図
【図１０】  同電動送風機の要部断面図
【図１１】  同電気掃除機の断面図
【符号の説明】
１  モータ
２  ブラケット
３  吸気口
４  ケーシング
６  ブレード
７  前面シュラウド
９  インペラ
１０  エアーガイド
１１  吸気口ガイド
１００  下本体
１０１  集塵室
１０２  モータ室
１０３  吸気口
１０４  連通孔部
１０５  隔壁
１０６  集塵室蓋
１０７  上本体
１０８  前保持体
１０９  後保持体
１１０  支持板
１１１  前支持板
【図１】
0003817849.tif 000002
【図２】
0003817849.tif 000003
【図３】
0003817849.tif 000004
【図４】
0003817849.tif 000005
【図５】
0003817849.tif 000006
【図６】
0003817849.tif 000007
【図７】
0003817849.tif 000008
【図８】
0003817849.tif 000009
【図９】
0003817849.tif 000010
【図１０】
0003817849.tif 000011
【図１１】
0003817849.tif 000012